【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
メディア配信方法であって、
複数のメディア・コンテンツをデータベースに記憶するステップと、
ディスプレイ・ユニット用に再生スケジュールを作成するステップと、
前記再生スケジュールに従って前記ディスプレイ・ユニットに前記複数のメディア・コンテンツの要素を表示するステップと、を含む方法。
【請求項２】
前記ディスプレイ・ユニットで環境データセットを収集するステップをさらに含む請求項１に記載の方法。
【請求項３】
前記環境データセットに応じて前記再生スケジュールを変更するステップをさらに含む請求項２に記載の方法。
【請求項４】
前記環境データは人口統計学的情報を含む請求項３に記載の方法。
【請求項５】
メディアの表示方法であって、
メディア・アイテムを第一の状態で表示するステップと、
トリガ・イベントを受信するステップと、
メディア・アイテムを第二の状態で表示するステップと、を含む方法。
【請求項６】
前記トリガ・イベントは時間経過、モーションイベント、カードイベントまたは１つ以上の同期イベントである請求項５に記載の方法。
【請求項７】
メディア配信方法であって、
ディスプレイ・ユニットに関連する情報セットを取得するステップと、
前記情報セットに関連する前記メディアの要素を表示するステップと、を含む方法。
【請求項８】
前記取得ステップは、
視聴者の本人確認を行い、
前記視聴者に関連する第二の情報セットを取得するステップを含む請求項７に記載の方法。
【請求項９】
前記取得ステップは、
第二の環境データセットを取得するステップを含む請求項７に記載の方法。
【請求項１０】
前記第二の環境データセットは前記ディスプレイ・ユニットの単数、または複数の視聴者に関連する人口統計学的情報を含む請求項９に記載の方法。
【請求項１１】
メディア配信方法であって、
コンテンツのプロバイダにコンテンツ要素を表示するための第一の料金を課すステップと、
前記コンテンツ要素が視聴されていることが確認されると、前記コンテンツのプロバイダにコンテンツ要素を表示するための第二の料金を課すステップと、を含む方法。
【請求項１２】
前記コンテンツ要素が所望の人口統計学的要素に関連する視聴者によって視聴されたことが確認される請求項１１に記載の方法。
【請求項１３】
メディア配信方法であって、
コンテンツの再生を第一の料金で最初の購入者によって確保するステップと、
前記コンテンツの再生を第二の料金で第二の購入者に再販することを試みるステップと、を含む方法。
【請求項１４】
前記コンテンツの再生が第二の購入者によって再販された場合だけ、前記第一の料金を前記最初の購入者に課すステップをさらに含む請求項１３に記載の方法。
【請求項１５】
メディア表示のスケジュール編成方法であって、
メディア要素の再生時間を要求するステップと、
前記再生時間中に前記コンテンツ要素を再生できるか否かを判定するステップと、
前記再生時間中に前記コンテンツ要素を再生できる場合は、前記再生時間中にゼンキコンテンツ要素のスケジュールを編成するステップと、を含む方法。
【請求項１６】
前記再生時間は、期間または時間のインスタンスである請求項１５に記載の方法。
【請求項１７】
前記判定ステップは、
前記メディア要素にメディア要素の優先順位を割当てるステップと、
スケジュール編成された１つ以上の前記メディアデイア要素よりも優先順位が低いメディア要素のスケジュール再編成によって前記メディア要素が前記再生時間中にスケジュール編成されることが可能か否かを判定するステップと、を含む請求項１５に記載の方法。
【請求項１８】
メディア配信システムであって、
複数のメディア・コンテンツを記憶するように構成されたデータベースと、
再生スケジュールを作成するように構成されたスケジュール編成ユニットと、
前記再生スケジュールに従って前記ディスプレイ・ユニットに前記複数のメディア・コンテンツの要素を表示するように構成されたディスプレイ・ユニットと、を備えたシステム。
【請求項１９】
前記ディスプレイ・ユニットで環境データセットを収集するように構成された収集ユニットをさらに備えた請求項１８に記載のメディア配信システム。
【請求項２０】
前記環境データセットに応じて前記再生スケジュールを変更するように構成されたスケジュール変更ユニットをさらに備えた請求項１９に記載のメディア配信システム。
【請求項２１】
前記環境データは人口統計学的情報を含む請求項２０に記載のメディア配信システム。
【請求項２２】
メディア表示システムであって、
メディア・アイテムを第一の状態で表示するように構成された第一表示サブシステムと、
トリガ・イベントを受信するように構成されたイベント受信機と、
メディア・アイテムを第二の状態で表示するように構成された第二表示サブシステムと、を備えたシステム。
【請求項２３】
前記トリガ・イベントは、時間経過、モーションイベント、カードイベント、複数のディスプレイイベントまたは１つ以上の同期イベントである請求項２２に記載のシステム。
【請求項２４】
メディア配信システムであって、
ディスプレイ・ユニットに関連する情報セットを取得するように構成された取得ユニットと、
前記情報セットに関連する前記メディア要素を表示するように構成されたディスプレイ・ユニットと、を備えたシステム。
【請求項２５】
前記取得ユニットは、
視聴者の本人確認を行うように構成された本人確認ユニットと、
前記視聴者に関連する第二の情報セットを取得するように構成された第二取得ユニットと、を備えた請求項２４に記載のメディア配信システム。
【請求項２６】
前記取得ユニットは、
第二の環境データセットを取得するように構成された第二取得ユニットを備えた請求項２４に記載のメディア配信システム。
【請求項２７】
前記セットは前記ディスプレイ・ユニットの単数、または複数の視聴者に関連する人口統計学的情報を含む請求項２６に記載のメディア配信システム。
【請求項２８】
メディア配信システムであって、
コンテンツのプロバイダにコンテンツ要素を表示するための第一の料金を課すように構成された第一価格決定サブシステムと、
前記コンテンツ要素が視聴されていることが確認されると、コンテンツのプロバイダにコンテンツ要素を表示するための第二の料金を課すように構成された第二価格決定サブシステムと、を備えたシステム。
【請求項２９】
前記コンテンツ要素が所望の人口統計学的要素に関連する視聴者によって視聴されたことが確認される請求項２８に記載のメディア配信システム。
【請求項３０】
メディア配信システムであって、
コンテンツの再生を第一の料金で最初の購入者によって確保するように構成された確保ユニットと、
前記コンテンツの再生を第二の料金で第二の購入者に再販することを試みるように構成された再販サブシステムと、を備えたシステム。
【請求項３１】
前記コンテンツの再生が第二の購入者によって再販された場合だけ、前記第一の料金を前記最初の購入者に課すように構成された価格決定サブシステムをさらに備えた請求項３０に記載のメディア配信システム。
【請求項３２】
メディア表示のスケジュール編成システムであって、
メディア要素の再生時間を要求するように構成された要求ユニットと、
前記再生時間中に前記コンテンツ要素を再生できるか否かを判定するように構成された判定装置と、
前記再生時間中に前記コンテンツ要素を再生できる場合は、前記再生時間中に前記コンテンツ要素のスケジュールを編成するように構成されたスケジューラと、を備えたシステム。
【請求項３３】
前記再生時間は、期間、時間のインスタンス、複数のディスプレイイベントまたは１つ以上の同期イベントである請求項３２に記載のメディア表示のスケジュール編成システム。
【請求項３４】
前記判定装置は、
前記メディア要素にメディア要素の優先順位を割当てるように構成された割当てユニットと、
スケジュール編成された１つ以上の前記メディアデイア要素よりも優先順位が低いメディア要素のスケジュール再編成によって前記メディア要素が前記再生時間中にスケジュール編成されることが可能か否かを判定するように構成された第二判定装置と、を備えた請求項３２に記載のメディア表示のスケジュール編成システム。
【請求項３５】
メディア表示システムであって、
関連メディア・コンテンツを表示するように接続可能に構成された２つ以上の表示システムと、
１つ以上のトリガ・イベントを受信するように構成された１つ以上の受信機と、を備えたシステム。
【請求項３６】
前記１つ以上のイベント受信機は外部ソースからのトリガ・イベントを受信するように構成された請求項３５に記載のメディア表示システム。
【請求項３７】
前記外部ソースはディスプレイ・ユニットである請求項３６に記載のメディア表示システム。
【請求項３８】
前記システムは再生スケジュールを作成するように構成された１つ以上のスケジュール編成ユニットを備えた請求項３５に記載のメディア表示システム。
【請求項３９】
前記１つ以上の受信機は前記再生スケジュールからトリガ・イベントを受信するように構成された請求項３８に記載のメディア表示システム。
【請求項４０】
前記トリガ・イベントは時間経過、モーションイベントまたはカードイベントである請求項３５に記載のメディア表示システム。
【手続補正２】
【補正対象書類名】図面
【補正対象項目名】全図
【補正方法】変更
【補正の内容】
【図１】
2005514827.tif 000001
【図２】
2005514827.tif 000002
【図３】
2005514827.tif 000003
【図４】
2005514827.tif 000004
【図５】
2005514827.tif 000005
【図６】
2005514827.tif 000006
【図７】
2005514827.tif 000007
【図８】
2005514827.tif 000008
【図９】
2005514827.tif 000009
【図１０】
2005514827.tif 000010
【図１１】
2005514827.tif 000011
【図１２】
2005514827.tif 000012